(57)【要約】【課題】モバイル機器と該モバイル機器が帰属するモバイルルータとの双方をユーザが携帯する無線通信環境下において、モバイル機器を携帯したユーザの移動時に、モバイルルータの携帯忘れの外的要因による誤検出を防止し、より確実に該携帯忘れの検出が可能なモバイルルータ携帯忘れ検出システムを提供する。【解決手段】モバイルルータ１０Ａに帰属のモバイル機器とは別に、モバイルルータ１０Ａとの接続が可能な通信モジュール例えばクレードルをさらに有し、モバイルルータ１０Ａと前記モバイル機器との間の無線接続を意味するＰａｉｒ−Ａと、モバイルルータ１０Ａと前記通信モジュールとの間の無線接続を意味するＰａｉｒ−Ｂと、の２組のペアに関して、受信したそれぞれの無線信号のＳＮＲの値をあらかじめ定めた一定時間間隔ごとに定期的に検出するＳＮＲ検出部１１０ａを、モバイルルータ１０Ａのメイン制御部１００Ａ内に備える。【選択図】      図５
2018125598.tif 000002
【特許請求の範囲】
【請求項１】
モバイル機器と該モバイル機器が帰属するモバイルルータとの双方をユーザが携帯して、任意の場所でインターネット接続を行うことができる無線通信環境下において、前記モバイル機器を携帯したユーザが、該モバイル機器が帰属するモバイルルータの携帯を忘れたことを検出する仕組みを備えたモバイルルータ携帯忘れ検出システムであって、
前記モバイル機器とは別に、前記モバイルルータと接続することが可能な通信モジュールをさらに有し、
前記モバイルルータと該モバイルルータに帰属する前記モバイル機器との間の無線接続を意味するＰａｉｒ−Ａと、前記モバイルルータと前記通信モジュールとの間の無線接続を意味するＰａｉｒ−Ｂと、の２組のペアに関して、受信したそれぞれの無線信号のＳＮＲ（Signal−Noise  Ratio）の値をあらかじめ定めた一定時間間隔ごとに定期的に検出するＳＮＲ検出手段を、前記モバイルルータ内に備えている
ことを特徴とするモバイルルータ携帯忘れ検出システム。
【請求項２】
前記モバイルルータの前記ＳＮＲ検出手段において一定時間間隔ごとに検出した前記Ｐａｉｒ−Ｂにおける無線信号の前記ＳＮＲの値から前記Ｐａｉｒ−Ａにおける無線信号の前記ＳＮＲの値を差し引いた双方のペアの差分のＳＮＲの値を意味するＳＮＲａｂの値が、あらかじめ定めた閾値の範囲内に収まっているか否かに基づいて、前記モバイルルータ、前記モバイル機器および前記通信モジュールのいずれも、同じ空間内に存在しているか否かを判定する同一空間内存在判定手段を、前記モバイルルータ内にさらに備えている
ことを特徴とする請求項１に記載のモバイルルータ携帯忘れ検出システム。
【請求項３】
前記モバイルルータの前記同一空間内存在判定手段による判定において、前記ＳＮＲａｂの値が、前記閾値の範囲内に収まっていなかった場合であって、
該ＳＮＲａｂの値の前周期からの変化量を意味するＳＮＲａｂ’の値の絶対値が、あらかじめ定めた下限値以上に大きいか否かに基づいて、前記Ｐａｉｒ−Ａおよび前記Ｐａｉｒ−Ｂのいずれかのペアにノイズ混入や信号の途絶の少なくともいずれかを含む異常状態が発生しているか否かを判定する異常状態判定手段を、前記モバイルルータにさらに備えている
ことを特徴とする請求項２に記載のモバイルルータ携帯忘れ検出システム。
【請求項４】
前記モバイルルータの前記異常状態判定手段による判定において、前記ＳＮＲａｂ’の値の絶対値が、前記下限値以上に大きかった場合であって、
前記Ｐａｉｒ−Ａおよび前記Ｐａｉｒ−Ｂの少なくともいずれか一方のペアの前記ＳＮＲの値が、１ないし複数回に亘って連続して、‘０’まで低下しているか否かに基づいて、前記Ｐａｉｒ−Ａおよび前記Ｐａｉｒ−Ｂの少なくともいずれかの一方のペアに信号の途絶が発生しているか否かを判定する信号途絶判定手段を、前記モバイルルータ内にさらに備え、
前記モバイルルータの前記信号途絶判定手段による判定において、
前記Ｐａｉｒ−Ａおよび前記Ｐａｉｒ−Ｂの少なくともいずれか一方のペアの前記ＳＮＲの値が、１ないし複数回に亘って連続して、‘０’まで低下していた場合には、前記Ｐａｉｒ−Ａおよび前記Ｐａｉｒ−Ｂの少なくともいずれかの一方のペアに信号の途絶が発生しているものと判定し、
一方、前記Ｐａｉｒ−Ａおよび前記Ｐａｉｒ−Ｂのいずれのペアも前記ＳＮＲの値が、１ないし複数回のうち、少なくとも１回は‘０’まで低下していなかった場合には、前記Ｐａｉｒ−Ａおよび前記Ｐａｉｒ−Ｂの少なくともいずれかの一方のペアにノイズの混入が発生しているものと判定する
ことを特徴とする請求項３に記載のモバイルルータ携帯忘れ検出システム。
【請求項５】
前記モバイルルータの前記異常状態判定手段による判定において、前記ＳＮＲａｂ’の値の絶対値が、前記下限値よりも小さかった場合であって、
前記双方のペアの差分のＳＮＲの値を意味する前記ＳＮＲａｂの値が、負の値になっているか否かに基づいて、前記モバイル機器を携帯するユーザが前記モバイルルータを携帯して移動しているか否かを判定するモバイルルータ携帯判定手段を、前記モバイルルータ内にさらに備え、
前記モバイルルータの前記モバイルルータ携帯判定手段による判定において、
前記ＳＮＲａｂの値が、負の値になっている場合には、前記モバイル機器を携帯するユーザが前記モバイルルータを携帯して移動している状態であると判定し、
一方、前記ＳＮＲａｂの値が、負の値になっていなかった場合には、前記モバイルルータを前記通信モジュールと同じ空間内に置いたまま、前記モバイル機器を携帯するユーザが前記空間から別の空間へ移動した状態が発生しているものと判定する
ことを特徴とする請求項３に記載のモバイルルータ携帯忘れ検出システム。
【請求項６】
前記モバイルルータの前記モバイルルータ携帯判定手段による判定において、前記モバイルルータの携帯忘れの状態が発生しているものと判定した場合、
該携帯忘れの状態が発生している旨の通知情報をアラーム情報として作成し、
Ｗｉ−Ｆｉ通信モードまたはＢｌｕｅｔｏｏｔｈ通信モードを利用して、作成した前記通知情報を、ユーザが携帯する前記モバイル機器に対して通知するか、
あるいは、インターネット上に用意した管理サーバを介して、作成した前記通知情報を、ユーザが携帯する前記モバイル機器に対して通知する
携帯忘れ通知手段を、前記モバイルルータ内にさらに備えている
ことを特徴とする請求項５に記載のモバイルルータ携帯忘れ検出システム。
【請求項７】
前記モバイル機器とは別に備えている前記通信モジュールとして、前記モバイルルータに対する充電機能やデータ送受信機能を備えたクレードル、または、前記モバイルルータとＷｉ−Ｆｉ通信モード若しくはＢｌｕｅｔｏｏｔｈ通信モードを用いた無線通信機能を備えたＷｉ−Ｆｉ／Ｂｌｕｅｔｏｏｔｈ無線通信モジュールを用いる
ことを特徴とする請求項１ないし６のいずれかに記載のモバイルルータ携帯忘れ検出システム。
【請求項８】
ユーザがモバイル機器と該モバイル機器が帰属するモバイルルータとの双方を携帯して、任意の場所でインターネット接続を行うことができる無線通信環境下において、前記モバイル機器を携帯したユーザが、該モバイル機器が帰属するモバイルルータの携帯を忘れたことを検出する仕組みを有するモバイルルータ携帯忘れ検出方法であって、
前記モバイル機器とは別に、前記モバイルルータと接続することが可能な通信モジュールをさらに設け、
前記モバイルルータと該モバイルルータに帰属する前記モバイル機器との間の無線接続を意味するＰａｉｒ−Ａと、前記モバイルルータと前記通信モジュールとの間の無線接続を意味するＰａｉｒ−Ｂと、の２組のペアに関して、受信したそれぞれの無線信号のＳＮＲ（Signal−Noise  Ratio）の値をあらかじめ定めた一定時間間隔ごとに定期的に検出するＳＮＲ検出ステップを、前記モバイルルータ内に有している
ことを特徴とするモバイルルータ携帯忘れ検出方法。
【請求項９】
前記モバイルルータの前記ＳＮＲ検出ステップにおいて一定時間間隔ごとに検出した前記Ｐａｉｒ−Ｂにおける無線信号の前記ＳＮＲの値から前記Ｐａｉｒ−Ａにおける無線信号の前記ＳＮＲの値を差し引いた双方のペアの差分のＳＮＲの値を意味するＳＮＲａｂの値が、あらかじめ定めた閾値の範囲内に収まっているか否かに基づいて、前記モバイルルータ、前記モバイル機器および前記通信モジュールのいずれも、同じ空間内に存在しているか否かを判定する同一空間内存在判定ステップを、前記モバイルルータ内にさらに有している
ことを特徴とする請求項８に記載のモバイルルータ携帯忘れ検出方法。
【請求項１０】
ユーザがモバイル機器と該モバイル機器が帰属するモバイルルータとの双方を携帯して、任意の場所でインターネット接続を行うことができる無線通信環境下において、前記モバイル機器とは別に、前記モバイルルータと接続することが可能な通信モジュールを設けることにより、前記モバイル機器を携帯したユーザが、該モバイル機器が帰属するモバイルルータの携帯を忘れたことを検出するようにした仕組みを、コンピュータによってプログラムとして実行可能にしたモバイルルータ携帯忘れ検出プログラムであって、
前記モバイルルータと該モバイルルータに帰属する前記モバイル機器との間の無線接続を意味するＰａｉｒ−Ａと、前記モバイルルータと前記通信モジュールとの間の無線接続を意味するＰａｉｒ−Ｂと、の２組のペアに関して、受信したそれぞれの無線信号のＳＮＲ（Signal−Noise  Ratio）の値をあらかじめ定めた一定時間間隔ごとに定期的に検出するＳＮＲ検出ステップを、前記モバイルルータ内に有している
ことを特徴とするモバイルルータ携帯忘れ検出プログラム。
【発明の詳細な説明】
【技術分野】
【０００１】
本発明は、モバイルルータ携帯忘れ検出システム、モバイルルータ携帯忘れ検出方法およびモバイルルータ携帯忘れ検出プログラムに関し、ユーザがスマートフォン等のモバイル機器を携帯して移動する際に、インターネット接続に用いるモバイルルータの携帯忘れを検出するモバイルルータ携帯忘れ検出システム、モバイルルータ携帯忘れ検出方法およびモバイルルータ携帯忘れ検出プログラムに関する。
【背景技術】
【０００２】
近年の通信分野においては、無線通信機能を有効に利用して、いつでもどこでも希望する相手と希望する情報を送受信することができるように、移動性に富む通信環境が提供されつつある。その一つとして、ユーザは、スマートフォンや携帯電話、携帯ゲーム機等の各種のモバイル機器を携帯するとともに、該モバイル機器を帰属させてインターネット接続用のルーティング機能を提供するモバイルルータを携帯するようになってきている。
【０００３】
ここで、モバイルルータとは、無線ＬＡＮ（Local  Area  Network）通信機能やＢｌｕｅｔｏｏｔｈ（登録商標）等の近距離通信機能を備えたモバイル機器を帰属させて、該モバイル機器を、無線ＷＡＮ（Wide  Area  Network）回線を通じてインターネットに接続させることができ、かつ、バッテリ動作が可能な可搬性を有する無線ＬＡＮルータ装置のことである。該モバイルルータは、据え置き式の無線ＬＡＮルータ装置と比較して、ＷＡＮ回線および電源の接続形態がワイヤレスとなるので、可搬性に富むということが、最大のメリットであり、可搬性のメリットを最大限に活かすためには、モバイル機器を携帯して移動する際に、モバイルルータの携帯忘れを防止することが肝要である。
【０００４】
携帯すべき機器の携帯忘れを防止するための技術として、例えば、特許文献１の特開２０１６−１１１５５９号公報「置き忘れ防止システム」に記載された技術が開示されている。該特許文献１に記載の技術においては、ユーザが携帯するモバイル機器すなわち親機が、当該ユーザが所持する物品に取り付けられた無線通信モジュールすなわち子機から送信されてくる無線信号の電波強度を測定して、該電波強度に基づいて、前記子機との間の距離を推定するようにしている。そして、前記親機は、推定した該距離があらかじめ定めた閾値以上の距離になっていると判定した場合、該親機を携帯するユーザが移動した際に、前記子機が取り付けられている物品を所持していない状態にあり、該物品の置き忘れが発生していると見做して、警告音を出力するようにしている。
【先行技術文献】
【特許文献】
【０００５】
【特許文献１】特開２０１６−１１１５５９号公報
【発明の概要】
【発明が解決しようとする課題】
【０００６】
前述したように、前記特許文献1に記載の技術等の本発明に関連する現状の技術においては、ユーザが携帯するモバイル機器において受信されるＲＳＳＩ（Received  Signal  Strength  Indicator）やＳＮＲ（Signal−Noise  Ratio）などの電波強度すなわち信号強度を用いて、送信側と受信側との双方の機器間の距離を判断し、送信側の機器の携帯忘れを防止するという技術を採用しているが、かくのごとき現状の技術には、次のような解決するべき課題がある。
【０００７】
すなわち、本発明に関連する現状の上記技術においては、送信側と受信側との双方の機器間の距離が変わらないにも関わらず、片方の機器の無線通信機能がＯＦＦにされて信号の瞬断が発生した場合や、ノイズ等のために受信信号が妨害された場合、等の外的要因が発生して、信号強度が低下した場合や正常に読み取れない場合であっても、送信側の機器の携帯忘れが発生していると誤判定してしまう可能性があるという課題がある。
【０００８】
（本発明の目的）
本発明は、かくのごとき課題に鑑みてなされたものであり、ユーザがモバイル機器と該モバイル機器が帰属するモバイルルータとの双方を携帯する無線通信環境下において、モバイル機器を携帯したユーザの移動時に、外的要因によるモバイルルータの携帯忘れに関する誤判定を防止し、該モバイルルータの携帯忘れをより確実に検出することが可能なモバイルルータ携帯忘れ検出システムならびにモバイルルータ携帯忘れ検出方法およびプログラムを提供することを、その目的としている。
【課題を解決するための手段】
【０００９】
前述の課題を解決するため、本発明によるモバイルルータ携帯忘れ検出システム、モバイルルータ携帯忘れ検出方法およびモバイルルータ携帯忘れ検出プログラムは、主に、次のような特徴的な構成を採用している。
【００１０】
（１）本発明によるモバイルルータ携帯忘れ検出システムは、
モバイル機器と該モバイル機器が帰属するモバイルルータとの双方をユーザが携帯して、任意の場所でインターネット接続を行うことができる無線通信環境下において、前記モバイル機器を携帯したユーザが、該モバイル機器が帰属するモバイルルータの携帯を忘れたことを検出する仕組みを備えたモバイルルータ携帯忘れ検出システムであって、
前記モバイル機器とは別に、前記モバイルルータと接続することが可能な通信モジュールをさらに有し、
前記モバイルルータと該モバイルルータに帰属する前記モバイル機器との間の無線接続を意味するＰａｉｒ−Ａと、前記モバイルルータと前記通信モジュールとの間の無線接続を意味するＰａｉｒ−Ｂと、の２組のペアに関して、受信したそれぞれの無線信号のＳＮＲ（Signal−Noise  Ratio）の値をあらかじめ定めた一定時間間隔ごとに定期的に検出するＳＮＲ検出手段を、前記モバイルルータ内に備えている
ことを特徴とする。
【００１１】
（２）本発明によるモバイルルータ携帯忘れ検出方法は、
ユーザがモバイル機器と該モバイル機器が帰属するモバイルルータとの双方を携帯して、任意の場所でインターネット接続を行うことができる無線通信環境下において、前記モバイル機器を携帯したユーザが、該モバイル機器が帰属するモバイルルータの携帯を忘れたことを検出する仕組みを有するモバイルルータ携帯忘れ検出方法であって、
前記モバイル機器とは別に、前記モバイルルータと接続することが可能な通信モジュールをさらに設け、
前記モバイルルータと該モバイルルータに帰属する前記モバイル機器との間の無線接続を意味するＰａｉｒ−Ａと、前記モバイルルータと前記通信モジュールとの間の無線接続を意味するＰａｉｒ−Ｂと、の２組のペアに関して、受信したそれぞれの無線信号のＳＮＲ（Signal−Noise  Ratio）の値をあらかじめ定めた一定時間間隔ごとに定期的に検出するＳＮＲ検出ステップを、前記モバイルルータ内に有している
ことを特徴とする。
【００１２】
（３）本発明によるモバイルルータ携帯忘れ検出プログラムは、
ユーザがモバイル機器と該モバイル機器が帰属するモバイルルータとの双方を携帯して、任意の場所でインターネット接続を行うことができる無線通信環境下において、前記モバイル機器とは別に、前記モバイルルータと接続することが可能な通信モジュールを設けることにより、前記モバイル機器を携帯したユーザが、該モバイル機器が帰属するモバイルルータの携帯を忘れたことを検出するようにした仕組みを、コンピュータによってプログラムとして実行可能にしたモバイルルータ携帯忘れ検出プログラムであって、
前記モバイルルータと該モバイルルータに帰属する前記モバイル機器との間の無線接続を意味するＰａｉｒ−Ａと、前記モバイルルータと前記通信モジュールとの間の無線接続を意味するＰａｉｒ−Ｂと、の２組のペアに関して、受信したそれぞれの無線信号のＳＮＲ（Signal−Noise  Ratio）の値をあらかじめ定めた一定時間間隔ごとに定期的に検出するＳＮＲ検出ステップを、前記モバイルルータ内に有している
ことを特徴とする。
【発明の効果】
【００１３】
本発明のモバイルルータ携帯忘れ検出システム、モバイルルータ携帯忘れ検出方法およびモバイルルータ携帯忘れ検出プログラムによれば、以下のような効果を奏することができる。
【００１４】
すなわち、本発明においては、モバイル機器を携帯するユーザが、モバイルルータと接続することが可能な通信モジュール（例えばクレードルや前記モバイル機器とは別の無線通信モジュール）が存在する空間内（例えば室内）から該空間の外（例えば室外）に移動する際に、モバイルルータを携帯しない事態（携帯忘れ）の発生を誤って検出することなく、より正確に検出して、ユーザに通知することができる。而して、モバイルルータを携帯しない事態（携帯忘れ）の発生を確実に防止することでき、可搬性があるモバイルルータの利便性を損なうことを抑止することができるという効果を奏することができる。
【００１５】
本発明では、モバイルルータと該モバイルルータに帰属するモバイル機器（すなわち親機と子機）との間の無線接続をＰａｉｒ−Ａとし、それとは別に、モバイルルータに接続することが可能な通信モジュール（例えばクレードルや前記モバイル機器とは別の無線通信モジュール）を用いて、モバイルルータと該通信モジュールとの間の無線接続をＰａｉｒ−Ｂとして、２つのペアを用意して、Ｐａｉｒ−ＡとＰａｉｒ−Ｂとの双方のペアにおいて受信する信号に関するＳＮＲ（Signal−Noise  Ratio：ＳＮ比）の値それぞれをあらかじめ定めた一定時間間隔ごとに定期的に検出する手段をモバイルルータ側に備えることにより、上述のような効果を奏している。
【００１６】
而して、前記一定時間間隔ごとのＳＮＲの変化量を判断することと、モバイルルータに帰属するモバイル機器とは別の通信モジュールとの通信状態と比較判定することと、の２つを組み合わせる仕組みを用いて、外的要因によるモバイルルータの携帯忘れに関する誤判定を防止し、該モバイルルータの携帯忘れをより確実に検出することが可能になる。
【図面の簡単な説明】
【００１７】
【図１】本発明によるモバイルルータ携帯忘れ検出システムにおけるモバイルルータの内部構成の一例を示すブロック構成図である。
【図２】図１に示したモバイルルータを介してモバイル機器と基地局との間の接続を行う概要を示す概要図である。
【図３】本発明によるモバイルルータ携帯忘れ検出システムにおけるクレードルの内部構成の一例を示すブロック構成図である。
【図４】図３に示したクレードルと図１に示したモバイルルータとの室内における接続状況の概要を示す概要図である。
【図５】本発明の第１の実施形態によるモバイルルータ携帯忘れ検出システムにおけるモバイルルータの基本的な内部構成の一例を示すブロック構成図である。
【図６】モバイル機器を携帯したユーザがモバイルルータを室内に忘れて外出した場合のＳＮＲの各値の変化の様子を模式的に示したグラフである。
【図７】本発明の第１の実施形態によるモバイルルータ携帯忘れ検出システムにおけるモバイルルータの基本的な動作の一例を示すフローチャートである。
【図８】本発明の第３の実施形態によるモバイルルータ携帯忘れ検出システムにおいてモバイルルータからモバイル機器へ通知情報を通知する仕組みを説明するための概念図である。
【発明を実施するための形態】
【００１８】
以下、本発明によるモバイルルータ携帯忘れ検出システム、モバイルルータ携帯忘れ検出方法およびモバイルルータ携帯忘れ検出プログラムの好適な実施形態について添付図を参照して説明する。なお、以下の説明においては、本発明によるモバイルルータ携帯忘れ検出システムおよびモバイルルータ携帯忘れ検出方法について説明するが、かかるモバイルルータ携帯忘れ検出方法をコンピュータにより実行可能なモバイルルータ携帯忘れ検出プログラムとして実施するようにしても良いし、あるいは、モバイルルータ携帯忘れ検出プログラムをコンピュータにより読み取り可能な記録媒体に記録するようにしても良いことは言うまでもない。また、以下の各図面に付した図面参照符号は、理解を助けるための一例として各要素に便宜上付記したものであり、本発明を図示の態様に限定することを意図するものではないことも言うまでもない。
【００１９】
（本発明の特徴）
本発明の実施形態の説明に先立って、本発明の特徴についてその概要をまず説明する。本発明は、無線機能を無効に設定していたり、周辺ノイズが大きかったりして、無線信号を受信できなくなるという外的要因のために、モバイルルータを室内に置いたままで携帯することを忘れてしまったと誤って判定してしまうことを防止し、モバイルルータを室内に置いたままにした状態の携帯忘れを確実に検出することが可能な仕組みを備えていることを、主要な特徴としている。
【００２０】
より具体的には、本発明は、前記外的要因による誤判定を防止するために、モバイルルータと該モバイルルータに帰属するモバイル機器（すなわち親機と子機）との間の無線接続をＰａｉｒ−Ａとし、それとは別に、モバイルルータに接続することが可能な通信モジュール（例えば、クレードルや他の無線通信モジュール等の機器）を用いて、モバイルルータと該通信モジュールとの間の無線接続をＰａｉｒ−Ｂとして用意して、Ｐａｉｒ−ＡとＰａｉｒ−Ｂとの双方のペアにおいてモバイルルータが受信する信号に関するＳＮＲ（Signal−Noise  Ratio：ＳＮ比）の値それぞれをあらかじめ定めた一定時間間隔ごとに定期的に検出する手段をモバイルルータ側に備えていることを主要な特徴としている。そして、次に記載の４つの手段をさらに組み合わせて用いることにより、前記外的要因による誤判定をより確実に防止し、モバイルルータの携帯忘れをより正確に検出することを可能にしている。
【００２１】
なお、以下の説明においては、Ｐａｉｒ−ＡとＰａｉｒ−Ｂとの各ペアにおいてモバイルルータが受信する信号のＳＮＲの瞬時値をそれぞれＳＮＲ＿Ａ、ＳＮＲ＿Ｂと表現し、Ｐａｉｒ−Ｂ側のＳＮＲ＿Ｂの値から、Ｐａｉｒ−Ａ側のＳＮＲ＿Ａの値を差し引いた両者の差分をＳＮＲａｂと表現する。さらに、Ｐａｉｒ−Ａ、Ｐａｉｒ−Ｂの双方のペアのＳＮＲの値に関する差分であるＳＮＲａｂの前周期からの変化量を意味するＳＮＲａｂの傾きをＳＮＲａｂ’と表現する。
【００２２】
まず、第１の手段として、モバイルルータが前記一定時間間隔ごとに検出するＰａｉｒ−ＡとＰａｉｒ−Ｂとの双方ペアにおける信号のＳＮＲの値（瞬時値）に関する差分であるＳＮＲａｂが、あらかじめ定めた閾値の範囲内に収まっているか否かに基づいて、モバイルルータ、モバイル機器、前記通信モジュール（例えば、クレードルや他の無線通信モジュール）のいずれも同じ空間内（例えば同じ室内）に存在しているか否かを判定する手段を、モバイルルータに備えている。そして、双方のペアのＳＮＲの差分であるＳＮＲａｂが、該閾値の範囲内に収まっている場合には、モバイルルータ、モバイル機器、前記通信モジュールのいずれも同じ空間内（例えば同じ室内）に存在していて、Ｐａｉｒ−ＡとＰａｉｒ−Ｂとのいずれのペアも正常に信号の送受信動作が行われているか、あるいは、双方のペアに同一レベルのノイズの混入が発生しているものと判定する。
【００２３】
一方、双方のペアのＳＮＲの差分であるＳＮＲａｂが、前記閾値の範囲内に収まっていなかった場合には、Ｐａｉｒ−Ａ、Ｐａｉｒ−Ｂのいずれかのペアにノイズの混入や信号の途絶等の異常状態が発生しているか、モバイルルータとモバイル機器とを携帯したユーザが、前記通信モジュールが存在する空間内（例えば室内）から別の空間（例えば室外）へ移動したか、あるいは、モバイルルータを前記通信モジュールと同じ空間内（例えば同じ室内）に置いたまま、モバイル機器を携帯するユーザが別の空間（例えば室外）に移動したか、のいずれかが発生している場合であると判定する。
【００２４】
次に、第２の手段として、モバイルルータが前記一定時間間隔ごとにＰａｉｒ−Ａ、Ｐａｉｒ−Ｂの双方のペアのＳＮＲの値に関する差分であるＳＮＲａｂが、前記閾値の範囲内に収まっていなかった場合には、該差分であるＳＮＲａｂの前周期からの変化量すなわち該差分であるＳＮＲａｂの傾きを意味するＳＮＲａｂ’を算出し、算出した該ＳＮＲａｂ’の絶対値が、あらかじめ定めた下限値以上に大きいか否かに基づいて、Ｐａｉｒ−Ａ、Ｐａｉｒ−Ｂのいずれかのペアにノイズの混入や信号の途絶等の異常状態が発生しているか否かを判定する手段を、モバイルルータに備えている。そして、双方のペアのＳＮＲの差分であるＳＮＲａｂの傾きを意味するＳＮＲａｂ’の絶対値が、前記下限値以上に大きかった場合には、Ｐａｉｒ−Ａ、Ｐａｉｒ−Ｂのいずれかのペアにノイズの混入や信号の途絶等の異常状態が発生している場合であると判定する。
【００２５】
一方、該ＳＮＲａｂ’の絶対値が、前記下限値よりも小さかった場合には、モバイルルータとモバイル機器とを携帯したユーザが、前記通信モジュール（例えば、クレードルや他の無線通信モジュール）が存在する空間内（例えば室内）から別の空間（例えば室外）へ移動したか、あるいは、モバイルルータを前記通信モジュールと同じ空間内（例えば同じ室内）に置いたまま、モバイル機器を携帯するユーザが別の空間（例えば室外）へ移動したか、のいずれかが発生している場合であると判定する。
【００２６】
次に、第３の手段として、Ｐａｉｒ−Ａ、Ｐａｉｒ−Ｂの双方のペアのＳＮＲの差分であるＳＮＲａｂの傾きを意味するＳＮＲａｂ’の絶対値が、前記下限値以上に大きかった場合、Ｐａｉｒ−Ａ、Ｐａｉｒ−Ｂの少なくともいずれか一方のペアのＳＮＲの値すなわちＳＮＲ＿Ａ、ＳＮＲ＿Ｂの少なくともいずれか一方の値が‘０’まで低下しているか否かに基づいて、Ｐａｉｒ−Ａ、Ｐａｉｒ−Ｂの少なくともいずれかの一方のペアに信号の途絶が発生しているか否かを判定する手段を、モバイルルータに備えている。そして、ＳＮＲ＿Ａ、ＳＮＲ＿Ｂの少なくともいずれか一方の値が‘０’まで低下していた場合には、Ｐａｉｒ−Ａ、Ｐａｉｒ−Ｂの少なくともいずれか一方のペアに無線通信機能のオフ操作等による信号の途絶が発生している場合であると判定する。なお、誤判定をより確実に防止するために、次周期も含めて複数回連続して、ＳＮＲ＿Ａ、ＳＮＲ＿Ｂのうち同一のＳＮＲ＿Ａ、ＳＮＲ＿Ｂの値が‘０’まで低下していた場合に、初めて、Ｐａｉｒ−Ａ、Ｐａｉｒ−Ｂのうち該当するペアに無線通信機能のオフ操作等による信号の途絶が発生している場合であると判定するようにしても良い。
【００２７】
一方、ＳＮＲ＿Ａ、ＳＮＲ＿Ｂのいずれの値も‘０’まで低下していなかった場合は、Ｐａｉｒ−Ａ、Ｐａｉｒ−Ｂの少なくともいずれか一方のペアにノイズの混入や測定誤差等が発生している場合であると判定する。なお、誤判定をより確実に防止するために、次周期も含めて連続する複数回のいずれかにおいて、ＳＮＲ＿Ａ、ＳＮＲ＿Ｂのうち同一のＳＮＲ＿Ａ、ＳＮＲ＿Ｂの値が‘０’まで低下していないことがあった場合に、初めて、Ｐａｉｒ−Ａ、Ｐａｉｒ−Ｂのうち該当するペアにノイズの混入や測定誤差等が発生している場合であると判定するようにしても良い。
【００２８】
次に、第４の手段として、双方のペアのＳＮＲの差分であるＳＮＲａｂの傾きを意味するＳＮＲａｂ’の絶対値が、前記下限値よりも小さかった場合、Ｐａｉｒ−ＢのＳＮＲ＿Ｂの値からＰａｉｒ−ＡのＳＮＲ＿Ａの値を差し引いて得られる差分であるＳＮＲａｂの値が、負の値になっているか否かに基づいて、モバイル機器を携帯するユーザがモバイルルータも携帯して移動しているか否かを判定する手段を、モバイルルータに備えている。そして、双方のペアのＳＮＲの差分であるＳＮＲａｂの値が、負の値になっている場合には、モバイル機器を携帯するユーザがモバイルルータも携帯して移動している正常な状態であると判定する。つまり、モバイルルータと該モバイルルータに帰属するモバイル機器との間の無線通信すなわちＰａｉｒ−Ａにおける通信品質は正常な状態にあるが、一方、モバイルルータが前記通信モジュール（例えば、クレードルや他の無線通信モジュール）とは別の空間に移動したので、Ｐａｉｒ−Ｂにおける通信品質が劣化しているためと判定する。
【００２９】
一方、双方のペアのＳＮＲの差分であるＳＮＲａｂの値が、負の値になっていなかった場合には、モバイルルータを前記通信モジュールと同じ空間内（例えば同じ室内）に置いたまま、モバイル機器を携帯するユーザが別の空間（例えば室外）に移動したものと判定する。つまり、Ｐａｉｒ−Ｂのモバイルルータと前記通信モジュールとは同一空間内に存在しているので、Ｐａｉｒ−Ｂにおける通信品質が良好な状態にあるが、Ｐａｉｒ−Ａのモバイルルータと該モバイルルータに帰属していたモバイル機器との間の距離は離れてしまっているので、Ｐａｉｒ−Ａにおける通信品質が劣化した状態すなわちモバイルルータの携帯忘れの状態が発生している場合であると判定する。
【００３０】
以上に説明したように、本発明は、本発明に関連する前述の現状の技術とは異なり、モバイルルータとモバイル機器とのペア（Ｐａｉｒ−Ａ）以外に、モバイルルータと前記通信モジュール（Ｐａｉｒ−Ａのモバイル機器とは別に用意した機器、例えば、クレードルや他の無線通信モジュール）とのペア（Ｐａｉｒ−Ｂ）も用意している。そして、双方のペアの通信品質（ＳＮＲ）に関する測定結果を定期的に比較することにより、ノイズの混入等の外部要因に基づくモバイルルータの携帯忘れに関する誤判定を防止している。さらに、本発明は、本発明に関連する前述の現状の技術とは異なり、双方のペアの通信品質（ＳＮＲ）の瞬時値に基づいて機器間の距離を推定する代わりに、双方のペアの通信品質（ＳＮＲ）の時間的な変化量（すなわちＳＮＲの傾き）に基づいて機器間の距離を推定するようにしている。その結果、本発明は、本発明に関連する現状の技術の場合よりも、外的要因の影響を排除して、より正確に、モバイルルータの携帯忘れの状態を検出することができる。
【００３１】
仮に、モバイルルータとモバイル機器との間の距離すなわちＰａｉｒ−Ａの距離に変化が無いにも関わらず、周辺のノイズのために、モバイルルータが受信するＰａｉｒ−Ａ側の受信信号が妨害されて、Ｐａｉｒ−Ａ側の受信信号のＳＮＲを意味するＳＮＲ＿Ａの値が変動した場合、Ｐａｉｒ−Ｂ側の別の通信モジュール（別の機器）も、Ｐａｉｒ−Ａ側と同一の空間に存在している限り、Ｐａｉｒ−Ｂ側の受信信号のＳＮＲを意味するＳＮＲ＿Ｂにおいても同様の変動が現れることになる。
【００３２】
したがって、モバイルルータにおいて、Ｐａｉｒ−Ａ側のＳＮＲ＿Ａ、Ｐａｉｒ−Ｂ側のＳＮＲ＿Ｂそれぞれの値の時間的な変化量（傾き）を比較すれば、周辺のノイズのために通信品質が劣化しているのか、あるいは、モバイルルータの携帯を忘れ、モバイルルータとモバイル機器との間の距離が離れたために、通信品質が劣化しているのかを判別することができる。つまり、ＳＮＲ＿Ａ、ＳＮＲ＿Ｂそれぞれの値の時間的な変化量（傾き）の比較結果として、Ｐａｉｒ−Ａ側のＳＮＲ＿Ｂが減少していないにも関わらず、Ｐａｉｒ−Ａ側のＳＮＲ＿Ａが減少していった時には、モバイル機器を携帯したユーザは、前記通信モジュール（例えば、クレードルや他の無線通信モジュール等の機器）と同一空間内（例えば同一室内）にモバイルルータを置いたまま、別の空間(例えば室外)に移動しているという、モバイルルータの携帯忘れの事態が発生したものと判定することができる。ただし、ＳＮＲ＿Ａ、ＳＮＲ＿Ｂそれぞれの値の時間的な変化量（傾き）が異常に大きかった場合には、信号の途絶やノイズの混入等の異常状態が発生しているものと判定する。
【００３３】
以上のような手段を備えることにより、本発明は、ノイズの混入や信号の途絶等の外部要因による誤検出を確実に防止し、モバイル機器とモバイルルータとを使用しているユーザが外出する際に、モバイル機器を携帯したにも関わらず、室内にモバイルルータを置いたままになっている状態すなわちモバイルルータの携帯忘れの状態を正確に検出して、ユーザに通知する仕組みを実現している。
【００３４】
本発明をさらに説明すると、以下の通りである。モバイル機器を携帯するユーザがモバイルルータを室内に置いたまま外出した状態（モバイルルータの携帯忘れの状態）を検出するために、まず、モバイルルータと該モバイルルータに帰属しているモバイル機器（つまり、スマートフォン等の携帯端末）との間で行われるＷｉ−Ｆｉ（Wireless  Fidelity）通信またはＢｌｕｅｔｏｏｔｈ  ＬＥ（Low  Energy）通信のＳＮＲ（Signal−Noise  Ratio：ＳＮ比）の変化をあらかじめ定めた一定時間間隔ごとに読み取る。そして、ＳＮＲの変化の読み取り結果として、“ＳＮＲの値が減少する”ことを検出した場合は、“モバイル機器を携帯したユーザとモバイルルータとの間の距離が離れた（すなわちモバイルルータの携帯を忘れた）”ものと判定して、ユーザに通知することを基本としている。
【００３５】
さらに言えば、本発明においては、携帯忘れの誤判定を確実に防止するために、前述したように、モバイルルータが受信する無線信号のＳＮＲのあらかじめ定めた一定時間間隔ごとの時間的な変化量に基づいて、モバイルルータとの間の距離を判定することと、モバイルルータに帰属するモバイル機器とは別の通信モジュール（例えば、クレードルや他の無線通信モジュール等の機器）との通信も併用することと、の２つを組み合わせる仕組みを用いている。而して、外的要因による携帯忘れの誤判定を回避することを可能にし、モバイルルータの携帯忘れを確実に検出することを実現することができる。
【００３６】
（本発明の実施形態）
次に、本発明によるモバイルルータ携帯忘れ検出システムの実施形態の一例について図面を参照しながら詳細に説明する。図１は、本発明によるモバイルルータ携帯忘れ検出システムにおけるモバイルルータの内部構成の一例を示すブロック構成図である。図１に示すモバイルルータ１０は、メイン制御部１００、ＷＡＮ側通信モジュール１０１、ＷＡＮ側アンテナ１０２、ＬＡＮ側通信モジュール１０３、ＬＡＮ側アンテナ１０４、ＬＥ通信モジュール１０５、ＬＥアンテナ１０６、電源回路１０７、バッテリ１０８、メモリ１０９を少なくとも備えて構成される。なお、ブロック間を接続している実線は、信号線を示し、破線は、電源線を示している。
【００３７】
図１のモバイルルータ１０において、メイン制御部１００は、当該モバイルルータ１０全体を制御するブロックであり、ＷＡＮ側やＬＡＮ側の通信モジュールの制御やインターネット回線の接続に必要なルーティング動作の制御を行う。また、ＷＡＮ側通信モジュール１０１およびＷＡＮ側アンテナ１０２は、基地局を通してＷＡＮ回線に接続することができる無線通信機能を備えたモジュールおよびアンテナであって、ＷＡＮ側通信モジュール１０１にて、ＷＡＮ回線を介した通信時の送信、受信において使用するアンテナの数を制御する。
【００３８】
また、ＬＡＮ側通信モジュール１０３およびＬＡＮ側アンテナ１０４は、無線ＬＡＮ機能を備えたモバイル機器を帰属させ、該モバイル機器と通信を行う機能を備えたモジュールおよびアンテナである。また、ＬＥ通信モジュール１０５およびＬＥアンテナ１０６は、ＢＬＥ（Ｂｌｕｅｔｏｏｔｈ  Ｌｏｗ  Ｅｎｅｒｇｙ）規格等の省電力モードを用いて近距離に位置する無線通信機器（例えばモバイル機器やクレードル等）との間の無線通信を行う機能を備えたモジュールおよびアンテナである。また、電源回路１０７は、バッテリ１０８から得られる電力を、当該モバイルルータ１０内の各ブロックに対して適切な電圧変換を行って電源を供給する回路である。また、メモリ１０９は、当該モバイルルータ１０が動作するために必要な各種の設定情報等を記憶するブロックである。
【００３９】
次に、図１に示したモバイルルータ１０を介してモバイル機器と基地局との間の接続を行う概要を、図２を参照して説明する。図２は、図１に示したモバイルルータ１０を介してモバイル機器と基地局との間の接続を行う概要を示す概要図である。図２に示すように、モバイルルータ１０とスマートフォンや携帯電話、携帯ゲーム機などのモバイル機器２０との間は、Ｗｉ−Ｆｉ（Wireless  Fidelity：無線ＬＡＮの規格の一つ）やＢｌｕｅｔｏｏｔｈ（近距離無線通信規格の一つ）の通信方式を用いて無線通信を行うことが可能である。
【００４０】
また、モバイルルータ１０のＷＡＮ通信側は、基地局３０と無線回線を介して接続されることによって、基地局３０から公衆回線と接続し、さらに、ルーティング動作を行うことによって、モバイルルータ１０をインターネットに接続することができる。故に、モバイル機器２０は、モバイルルータ１０を通して基地局３０と接続し、インターネットに接続することが可能になる。
【００４１】
次に、室内のＡＣコンセントへ接続するＡＣ電源端子、ＵＳＢ接続ポート、機能拡張ポートを備え、図１に示したモバイルルータ１０等の無線通信機器の充電やデータ転送等の拡張機能を行うクレードル（Ｃｒａｄｌｅ）の内部構成について図３を参照して説明する。図３は、本発明によるモバイルルータ携帯忘れ検出システムにおけるクレードルの内部構成の一例を示すブロック構成図である。図３に示すクレードル４０は、メイン制御部４００、ＬＥ通信モジュール４０１、ＬＥアンテナ４０２、ＵＳＢ接続ポート４０３、機能拡張ポート４０４、電源回路４０５、ＡＣ電源端子４０６、メモリ４０７を少なくとも備えて構成される。なお、ブロック間を接続している実線は、信号線を示し、破線は、電源線を示している。
【００４２】
図３のクレードル４０において、メイン制御部４００は、当該クレードル４０全体を制御するブロックであり、ＢｌｕｅｔｏｏｔｈやＥｔｈｅｒｎｅｔ等の通信モジュールの制御や外部入出力動作の制御を行う。また、ＬＥ通信モジュール４０１およびＬＥアンテナ４０２は、ＢＬＥ（Ｂｌｕｅｔｏｏｔｈ  Ｌｏｗ  Ｅｎｅｒｇｙ）規格等の省電力モードを用いて無線通信機器例えば図１に示したモバイルルータ１０との間の無線通信を行うことができる機能を備えたモジュールおよびアンテナである。
【００４３】
また、ＵＳＢ接続ポート４０３は、無線通信機器例えば図１に示したモバイルルータ１０と直結し、データ通信または充電を行うための入出力ポートである。また、機能拡張ポート４０４は、Ｅｔｈｅｒｎｅｔ接続等に使用するポートであって、ＬＡＮケーブルなどを用いて、ＰＣ（Personal  Computer）を有線ＬＡＮ接続すると、当該クレードル４０に接続されている無線通信機器例えば図１に示したモバイルルータ１０のＷＡＮ側回線を経由して、ＰＣをインターネットに接続することができる。また、電源回路４０５は、ＡＣ電源端子４０６に接続されたＡＣ電源から得られる電力を、当該クレードル４０内の各ブロックに対して適切な電圧変換を行って電源を供給する回路である。また、メモリ４０７は、当該クレードル４０が動作するために必要な各種の設定情報等を記憶するブロックである。
【００４４】
次に、図３に示したクレードル４０と図１に示したモバイルルータ１０とを同一室内に置いた場合の接続状況の概要について、図４を参照して説明する。図４は、図３に示したクレードル４０と図１に示したモバイルルータ１０との室内における接続状況の概要を示す概要図であり、クレードル４０を配置している空間内（室内）におけるモバイルルータ１０および該モバイルルータ１０に帰属するモバイル機器２０との間の接続状況について示している。図４に示すように、クレードル４０とモバイルルータ１０との間は、クレードル４０のＵＳＢ接続ポート４０３を介してＵＳＢ接続されており、モバイルルータ１０の充電やデータ通信を行うことができる。また、同時に、クレードル４０に搭載されたＬＥアンテナ４０２、ＬＥ通信モジュール４０１を用いて、クレードル４０はモバイルルータ１０との間でＢｌｕｅｔｏｏｔｈ  ＬＥモードによる無線通信を行うこともできる。
【００４５】
一方、モバイル機器２０も、前述のように、モバイルルータ１０に帰属しており、モバイルルータ１０との間でＷｉ−Ｆｉ（Wireless  Fidelity：無線ＬＡＮの規格の一つ）を用いた無線データ通信やＢｌｕｅｔｏｏｔｈ（近距離無線通信規格の一つ）のＬＥモードを用いた無線データ通信を行うことが可能である。
【００４６】
（第１の実施形態の構成例）
次に、本発明の第１の実施形態によるモバイルルータ携帯忘れ検出システムにおけるモバイルルータの基本的な内部構成の一例について、図５を参照して説明する。図５は、本発明の第１の実施形態によるモバイルルータ携帯忘れ検出システムにおけるモバイルルータの基本的な内部構成の一例を示すブロック構成図である。図５に示すモバイルルータ１０Ａは、図１に示したモバイルルータ１０とほぼ同一の構成であるが、メイン制御部１００Ａ内に、ＳＮＲ監視アプリケーション１１０と、携帯忘れ通知アプリケーション１１１と、を追加して構成している。
【００４７】
なお、以降の第１の実施形態の説明においては、モバイルルータ１０Ａの携帯忘れの誤検出を防止し、該携帯忘れをより確実に検出するために、モバイルルータ１０に帰属するモバイル機器２０とは別個に用意して、モバイルルータ１０Ａと接続することが可能な通信モジュールとして、図３、図４に示したクレードル４０を用いる場合について説明する。ただし、本発明は、該通信モジュールとして、かくのごときクレードル４０のみに限るものではなく、モバイルルータ１０Ａと無線接続することが可能な機器であれば、如何なる機器であっても構わない。
【００４８】
図５のメイン制御部１００Ａは、図１に示したメイン制御部１００と同様、当該モバイルルータ１０Ａの全体の制御を司り、ＷＡＮ側やＬＡＮ側の通信モジュールの制御やインターネット回線接続に必要なルーティング動作の制御を行う。そして、メイン制御部１００Ａに追加配置したＳＮＲ監視アプリケーション１１０は、詳細は後述するが、モバイルルータ１０Ａが受信する信号のＳＮＲの変化量をあらかじめ定めた一定時間間隔ごとに監視する機能を有するとともに、該ＳＮＲの変化量が、あらかじめ定めた閾値を超えて負の方向に落ち込んでいるか否かを判定する機能も有している。ここで、ＳＮＲ監視アプリケーション１１０の機能は、モバイルルータ１０Ａの通常の機能であるＷＡＮ側通信モジュール１０１とＬＡＮ側通信モジュール１０３とを経由したモバイル機器２０のインターネット通信と並行して動作することができる。
【００４９】
さらに説明すると、ＳＮＲ監視アプリケーション１１０は、ＳＮＲ検出部１１０ａ、同一空間内存在判定部１１０ｂ、異常状態判定部１１０ｃ、信号途絶判定部１１０ｄ、モバイルルータ携帯判定部１１０ｅを少なくとも備えて構成されている。
【００５０】
ＳＮＲ検出部１１０ａは、当該モバイルルータ１０Ａと該モバイルルータ１０Ａに帰属するモバイル機器２０との間の無線接続を意味するＰａｉｒ−Ａと、当該モバイルルータ１０Ａとモバイル機器２０とは別個に備えている通信モジュール例えばクレードル４０との間の無線接続を意味するＰａｉｒ−Ｂとの、２組のペアに関して、受信したそれぞれの無線信号のＳＮＲ（Signal−Noise  Ratio）の値をあらかじめ定めた一定時間間隔ごとに定期的に検出する機能を備えている。
【００５１】
同一空間内存在判定部１１０ｂは、ＳＮＲ検出部１１０ａにおいて一定時間間隔ごとに検出したＰａｉｒ−Ｂにおける無線信号のＳＮＲの値からＰａｉｒ−Ａにおける無線信号のＳＮＲの値を差し引いた双方のペアの差分のＳＮＲの値を意味するＳＮＲａｂの値が、あらかじめ定めた閾値の範囲内に収まっているか否かに基づいて、当該モバイルルータ１０Ａ、モバイル機器２０、前記通信モジュール例えばクレードル４０のいずれも、同じ空間内に存在しているか否かを判定する機能を備えている。ここで、同じ空間内に存在している場合には、Ｐａｉｒ−ＡとＰａｉｒ−Ｂとのいずれのペアも正常に無線信号の送受信動作が行われている場合のみならず、Ｐａｉｒ−ＡとＰａｉｒ−Ｂとの双方にほぼ同一レベルのノイズの混入があって、無線信号の送受信動作が妨害されている場合も含まれる。
【００５２】
異常状態判定部１１０ｃは、同一空間内存在判定部１１０ｂの判定結果として、ＳＮＲａｂの値が、前記閾値の範囲内に収まっていなかった場合であって、該ＳＮＲａｂの値の前周期からの変化量を意味するＳＮＲａｂ’の値の絶対値が、あらかじめ定めた下限値以上に大きいか否かに基づいて、Ｐａｉｒ−Ａ、Ｐａｉｒ−Ｂのいずれかのペアにノイズ混入や信号の途絶の少なくともいずれかを含む異常状態が発生しているか否かを判定する機能を備えている。異常状態判定部１１０ｃは、ノイズの混入や信号の途絶等の外的な要因によるモバイルルータ１０Ａの携帯忘れに対する誤判定を防止するための機能である。ここで、異常状態判定部１１０ｃにおいては、より正確な判定を行うために、本発明に関連する現状の技術の場合とは異なり、受信した信号のＳＮＲの瞬時値に基づいて判定するのではなく、ＳＮＲの時間的な変化量（すなわちＳＮＲの傾きを示すＳＮＲａｂ’の値）に基づいて、異常状態の発生の有無を判定している。
【００５３】
信号途絶判定部１１０ｄは、異常状態判定部１１０ｃの判定結果として、前記ＳＮＲａｂ’の値の絶対値が、前記下限値以上に大きかった場合であって、Ｐａｉｒ−Ａ、Ｐａｉｒ−Ｂの少なくともいずれか一方のペアの前記ＳＮＲの値が、１ないし複数回に亘って連続して、‘０’まで低下しているか否かに基づいて、Ｐａｉｒ−Ａ、Ｐａｉｒ−Ｂの少なくともいずれかの一方のペアに信号の途絶が発生しているか否かを判定する機能を備えている。つまり、信号途絶判定部１１０ｄは、異常状態判定部１１０ｃが検出した異常状態が、モバイル機器２０等の無線通信機能を無効にした操作結果として、信号の途絶が発生しているか否かを判定する。そして、判定結果として、Ｐａｉｒ−Ａ、Ｐａｉｒ−Ｂの少なくともいずれか一方のペアの前記ＳＮＲの値が、１ないし複数回に亘って連続して、‘０’まで低下していた場合には、Ｐａｉｒ−Ａ、Ｐａｉｒ−Ｂの少なくともいずれかの一方のペアに信号の途絶が発生しているものと判定する。一方、Ｐａｉｒ−Ａ、Ｐａｉｒ−Ｂのいずれのペアも、前記ＳＮＲの値が、１ないし複数回のうち、少なくとも１回は‘０’まで低下していなかった場合には、Ｐａｉｒ−Ａ、Ｐａｉｒ−Ｂの少なくともいずれかの一方のペアにノイズの混入が発生しているものと判定する。
【００５４】
モバイルルータ携帯判定部１１０ｅは、異常状態判定部１１０ｃの判定結果として、前記ＳＮＲａｂ’の値の絶対値が、前記下限値よりも小さかった場合であって、双方のペアの差分のＳＮＲの値を意味するＳＮＲａｂの値が、負の値になっているか否かに基づいて、モバイル機器２０を携帯するユーザがモバイルルータ１０Ａも携帯して移動しているか否かを判定する機能を備えている。そして、判定結果として、前記ＳＮＲａｂの値が、負の値になっている場合は、モバイル機器２０を携帯するユーザがモバイルルータ１０Ａを携帯して移動している状態であると判定する。一方、前記ＳＮＲａｂの値が、負の値になっていなかった場合には、モバイルルータ１０Ａを前記通信モジュールと同じ空間内に置いたまま、モバイル機器２０を携帯するユーザが前記空間内から別の空間へ移動した場合（つまり、モバイルルータ１０Ａの携帯忘れの状態が発生している場合）であると判定する。
【００５５】
さらに、ＳＮＲ監視アプリケーション１１０の機能について別の角度から説明すると、次のような機能を備えている。すなわち、ＳＮＲ検出部１１０ａにおいて、モバイルルータ１０Ａとモバイル機器２０（すなわち親機と子機）との間の無線接続をＰａｉｒ−Ａとし、モバイルルータ１０Ａとクレードル４０との間の無線接続をＰａｉｒ−Ｂとした場合、クレードル４０が存在する室内において、Ｐａｉｒ−ＡとＰａｉｒ−Ｂとの双方が確立した際に、あらかじめ定めた一定時間が経過する都度、Ｐａｉｒ−Ａ側のＳＮＲの値としてＳＮＲ＿Ａを読み取り、Ｐａｉｒ−Ｂ側のＳＮＲの値としてＳＮＲ＿Ｂを読み取る。
【００５６】
一定時間間隔ごとに、同一空間内存在判定部１１０ｂにおいて、読み取り結果のＰａｉｒ−ＡとＰａｉｒ−Ｂとの双方のペアのＳＮＲの差分であるＳＮＲａｂを求め、求めた該ＳＮＲａｂの値が、あらかじめ定めた閾値の範囲内に収まっているか否かを判定する。求めた該ＳＮＲａｂの値が、前記閾値の範囲内に収まっていた場合には、双方のペアを構成する各機器すなわちモバイルルータ１０Ａ、モバイル機器２０、クレードル４０はいずれも同一空間内（同一室内）に存在していて、Ｐａｉｒ−ＡとＰａｉｒ−Ｂとのいずれのペアも正常に無線信号の送受信動作が行われているか、あるいは、双方のペアに同一レベルのノイズが混入して受信信号のＳＮＲがほぼ同程度に劣化しているか、のいずれかであることが分かる。
【００５７】
しかし、求めた該ＳＮＲａｂの値が、前記閾値の範囲内に収まっていなかった場合は、ＳＮＲ監視アプリケーション１１０内の異常状態判定部１１０ｃを起動する。ここで、今回の監視時刻Ｔ１における読み取り結果のＰａｉｒ−ＡとＰａｉｒ−Ｂとの双方のペアのＳＮＲの差分を（ＳＮＲａｂ）Ｔ１と定義し、
（ＳＮＲａｂ）Ｔ１＝（ＳＮＲ＿Ｂ）Ｔ１−（ＳＮＲ＿Ａ）Ｔ１
また、前回の監視時刻Ｔ０における読み取り結果のＰａｉｒ−ＡとＰａｉｒ−Ｂとの双方のペアのＳＮＲの差分を（ＳＮＲａｂ）Ｔ０と定義する。
（ＳＮＲａｂ）Ｔ０＝（ＳＮＲ＿Ｂ）Ｔ０−（ＳＮＲ＿Ａ）Ｔ０
また、ＳＮＲ＿Ａ、ＳＮＲ＿Ｂを読み取る一定時間間隔（監視周期）をＴと定義する。
【００５８】
異常状態判定部１１０ｃにおいては、次の式で定義する、今回の監視時刻Ｔ１における双方のペアのＳＮＲの差分であるＳＮＲａｂの時間変化、すなわち、今回の監視時刻Ｔ１における差分（ＳＮＲａｂ）Ｔ１の前周期からの傾き（ＳＮＲａｂ’）Ｔを監視することになる。
（ＳＮＲａｂ’）Ｔ１＝｛（ＳＮＲａｂ）Ｔ１−（ＳＮＲａｂ）Ｔ０｝／Ｔ
【００５９】
異常状態判定部１１０ｃは、今回の監視時刻Ｔ１の前回監視時刻Ｔ０からのＳＮＲａｂの傾き（ＳＮＲａｂ’）Ｔ１の値に基づいて、Ｐａｉｒ−Ａ、Ｐａｉｒ−Ｂの少なくともいずれか一方にノイズ混入や信号途絶に関する異常状態が発生しているか否かの判別処理を行う。
【００６０】
すなわち、異常状態判定部１１０ｃは、双方のペアのＳＮＲの差分であるＳＮＲａｂの時間変化の監視結果として、前回監視時刻Ｔ０からのＳＮＲａｂの傾き（ＳＮＲａｂ’）Ｔ１が、あらかじめ設定した下限値以内の‘０’近辺であった場合には、ノイズ混入や信号途絶に関する異常状態は発生していないものと判定する。
【００６１】
そして、異常状態は発生していないと判定した場合には、次に、モバイルルータ携帯判定部１１０ｅにおいて、Ｐａｉｒ−Ａ、Ｐａｉｒ−Ｂの双方のペアのＳＮＲの差分であるＳＮＲａｂの値が負の値になっているか否かを調べる。ＳＮＲａｂの値が負の値になっている場合は、モバイルルータ１０Ａとモバイル機器２０との間の無線通信は可能な状態にあるが、モバイルルータ１０Ａとクレードル４０との間の距離は離れて、無線通信が不可能な状態になっている場合を示している。つまり、モバイル機器２０を携帯するユーザは、モバイルルータ１０Ａも携帯した状態（携帯忘れがない正常な状態）で、クレードル４０が存在する空間内（室内）から該空間の外（室外）に移動していることを示している。
【００６２】
これに対して、ＳＮＲａｂの値が負の値になっていなかった場合は、モバイルルータ１０Ａとクレードル４０との間の無線通信が可能な状態にあることを示しているので、モバイルルータ１０Ａはクレードル４０と同じ空間内（同じ室内）に存在していることを示している。したがって、モバイルルータ携帯判定部１１０ｅにおいては、モバイルルータ１０Ａ、モバイル機器２０、クレードル４０の全てが揃って同一空間内に存在していない状態にあって、かつ、異常状態が発生していない場合であって、かつ、ＳＮＲａｂの値が負の値になっていなかった場合であるので、モバイル機器２０を携帯するユーザは、モバイルルータ１０Ａをクレードル４０が存在する空間内（室内）に置いたまま、該空間内の外に移動してしまい、モバイルルータ１０Ａの携帯忘れの状態が発生しているものと判定する。
【００６３】
なお、モバイルルータ携帯判定部１１０ｅにおいて、モバイルルータ１０Ａを携帯して移動しているか否かを判定する場合、前述のようなＳＮＲａｂの値を用いる代わりに、モバイルルータ１０Ａとモバイル機器２０との無線接続であるＰａｉｒ−ＡにおけるＳＮＲの値の時間的な変化量すなわちＳＮＲ＿Ａの傾きを示すＳＮＲ＿Ａ’あるいはＰａｉｒ−Ａ、Ｐａｉｒ−ＢのＳＮＲの差分であるＳＮＲａｂの傾きを意味するＳＮＲａｂ’を用いるようにしても良い。例えば、ＳＮＲ＿Ａの値が‘０’以外の有意義な値であって、ＳＮＲ＿Ａの傾きを示すＳＮＲ＿Ａ’の値が、あらかじめ定めた範囲内の‘０’近辺の値であった場合には、モバイルルータ１０Ａとモバイル機器２０との間の距離はほぼ一定の状態に維持されていることを示しており、モバイルルータ１０Ａとモバイル機器２０とは無線通信可能な範囲内に存在しているものと判定する。したがって、モバイルルータ１０Ａ、モバイル機器２０、クレードル４０の全てが揃って同一空間内に存在していない状態にあって、かつ、異常状態が発生していない場合において、ＳＮＲａｂ’の値が、あらかじめ定めた範囲内の‘０’近辺の値であった場合には、モバイル機器２０を携帯するユーザは、モバイルルータ１０Ａも携帯した状態で、クレードル４０が存在する空間の外に移動したものと判定することができる。
【００６４】
一方、Ｐａｉｒ−ＡにおけるＳＮＲ＿Ａの傾きを示すＳＮＲ＿Ａ’の値が、あらかじめ定めた範囲を超えて負の値になった場合には、モバイルルータ１０Ａとモバイル機器２０との間の距離が徐々に離れていった状態であることを示している。したがって、モバイル機器２０を携帯したユーザが、モバイルルータ１０Ａの携帯を忘れて、クレードル４０が存在する空間内（室内）にモバイルルータ１０Ａを置いたまま移動してしまい、モバイルルータ１０Ａとモバイル機器２０とは無線通信が不可能な状態になっているものと判定することができる。
【００６５】
図６は、モバイル機器２０を携帯したユーザがモバイルルータ１０Ａを室内に忘れて外出した場合のＳＮＲの各値の変化の様子を模式的に示したグラフであり、横軸が時間軸を示し、縦軸が監視結果のＳＮＲの値を示す。図６において、一点鎖線６００は、Ｐａｉｒ−Ａ側のＳＮＲの値ＳＮＲ＿Ａの時間変化の様子を示し、破線６０１は、Ｐａｉｒ−Ｂ側のＳＮＲの値ＳＮＲ＿Ｂの時間変化の様子を示し、細い実線６０２は、Ｐａｉｒ−ＡとＰａｉｒ−Ｂとの双方のペアのＳＮＲの差分であるＳＮＲａｂの時間変化の様子を示している。また、太線６０３は、双方のペアのＳＮＲの差分であるＳＮＲａｂの傾きを意味するＳＮＲａｂ’の時間変化の様子を示している。
【００６６】
図６に示すグラフにおいて、時刻Ｔｎに達するまでの間は、ユーザが、クレードル４０が存在する室内に居て、クレードル４０に接続されたモバイルルータ１０Ａにモバイル機器２０を帰属させた状態であり、モバイルルータ１０Ａとモバイル機器２０との間の無線接続を示すＰａｉｒ−Ａ、モバイルルータ１０Ａとクレードル４０との間の無線接続を示すＰａｉｒ−Ｂの双方のペアが確立されている状態になっている。したがって、双方のペアにおけるＳＮＲの値ＳＮＲ＿Ａ、ＳＮＲ＿Ｂは、一定の値であり、一点鎖線６００、破線６０１に示すように、時間的な変化は生ずることがなく、双方のペアのＳＮＲの差分であるＳＮＲａｂも、細い実線６０２に示すように、変化することがなく、傾きは生じていない。
【００６７】
ユーザが、時刻Ｔｎにおいて、モバイルルータ１０Ａの携帯を忘れて、室内に置いたまま、モバイル機器２０のみを携帯して室外に出て行った場合、モバイルルータ１０Ａとモバイル機器２０との間の無線接続を示すＰａｉｒ−Ａに関するＳＮＲ＿Ａの値は、一点鎖線６００に示すように、ユーザの移動距離に応じて時間経過とともに徐々に減衰していく。ここで、図６の例においては、ユーザが携帯するモバイル機器２０と室内に置いたままのモバイルルータ１０Ａとの間のＳＮＲ＿Ａの値が時間経過とともに直線的に減衰していく場合を想定している。一方、室内に残っているモバイルルータ１０Ａとクレードル４０との間の無線接続を示すＰａｉｒ−Ｂに関するＳＮＲ＿Ｂの値は、破線６０１に示すように、時刻Ｔｎに達するまでと同じ状態を維持しているので、一定の値が継続している。
【００６８】
その結果、前述したように、双方のペアのＳＮＲの差分であるＳＮＲａｂの値は、ＳＮＲ＿ＢからＳＮＲ＿Ａを差し引いた値であるので、細い実線６０２に示すように、時刻Ｔｎ以降、傾きが生じて、時間の経過とともに徐々に増加していくことになる。ここでは、ＳＮＲ＿Ａの値が時間経過とともに直線的に減衰していく場合を想定しているので、差分であるＳＮＲａｂも、時間経過とともに直線的に増加していくことになる。したがって、双方のペアのＳＮＲの差分であるＳＮＲａｂの傾きを意味するＳＮＲａｂ’は、太線６０３に示すように、時刻Ｔｎに達するまでは、‘０’であったが、時刻Ｔｎ以降は、ＳＮＲの差分であるＳＮＲａｂの勾配を示す‘０’以外の一定の正の値に変わり、該正の値を維持するようになる。
【００６９】
なお、図６の本グラフにおいては、説明を簡素化するために、時刻Ｔｎに達するまでの双方のペアのＳＮＲは、一点鎖線６００、破線６０１で示すように、一定の値を維持して、その結果として、差分であるＳＮＲａｂの値も、細い実線６０２に示すように、一定の値を維持しているものとして表現している。その結果として、前述のように、差分であるＳＮＲａｂの傾きを意味するＳＮＲａｂ’は、太線６０３に示すように、‘０’として表現していたが、後述するように、実際には、モバイル機器２０の位置が変動したり、ＳＮＲ測定時に測定誤差が生じたりするので、あらかじめ定めた範囲内で‘０’近辺を変動した値になる。
【００７０】
かくのごとく、双方のペアのＳＮＲの差分であるＳＮＲａｂの傾きを意味するＳＮＲａｂ’（正確には、ＳＮＲａｂ’の絶対値）が、あらかじめ定めた範囲を超えた値になった場合には、ＳＮＲ監視アプリケーション１１０は、モバイルルータ１０Ａの携帯忘れが生じたものと判定する。そこで、ＳＮＲ監視アプリケーション１１０は、モバイルルータ１０Ａの携帯忘れの発生の旨を、携帯忘れ通知アプリケーション１１１に対して通知する。該通知を受け取った携帯忘れ通知アプリケーション１１１は、モバイルルータ１０Ａを室内に置いたまま、携帯を忘れている旨の通知情報を作成して、ユーザが携帯するモバイル機器２０に対して該通知情報を送信する。
【００７１】
（第１の実施形態の動作の説明）
次に、本発明の第１の実施形態によるモバイルルータ携帯忘れ検出システムにおけるモバイルルータ１０Ａの動作例について、図７のフローチャートを参照して説明する。図７は、本発明の第１の実施形態によるモバイルルータ携帯忘れ検出システムにおけるモバイルルータ１０Ａの基本的な動作の一例を示すフローチャートであり、図５に示したモバイルルータ１０Ａにおける携帯忘れ検出に関する動作例を示している。
【００７２】
図７のフローチャートにおいて、まず、モバイルルータ１０Ａとモバイル機器２０とを携帯したユーザが、クレードル４０が存在する室内に移動して、モバイルルータ１０Ａがクレードル４０に接続された状態になると、モバイルルータ１０Ａとモバイル機器２０との間の無線接続を示すＰａｉｒ−Ａ、モバイルルータ１０Ａとクレードル４０との間の無線接続を示すＰａｉｒ−Ｂの双方のペアが確立された状態になる。しかる後、Ｐａｉｒ−Ａ、Ｐａｉｒ−Ｂの双方のペアが確立されてから監視開始タイミングとしてあらかじめ定めた一定時間が経過すると、モバイルルータ１０Ａのメイン制御部１００Ａ内に備えられている携帯忘れ機能がＯＮになり、モバイルルータ１０Ａの携帯忘れを監視する状態に移行する（ステップＳ７００）。そして、このタイミングで、メイン制御部１００Ａ内に備えているＳＮＲ監視アプリケーション１１０が起動されて、Ｐａｉｒ−Ａ、Ｐａｉｒ−Ｂの双方のペアのＳＮＲを、ＳＮＲ監視周期としてあらかじめ定めた一定時間間隔で定期的に監視する動作が開始される。
【００７３】
ＳＮＲ監視アプリケーション１１０は、該ＳＮＲ監視周期ごとに、Ｐａｉｒ−Ａ、Ｐａｉｒ−Ｂの双方のペアのＳＮＲを収集する都度、双方のペアのＳＮＲの差分であるＳＮＲａｂを算出する。ここで、モバイル機器２０を携帯するユーザが、クレードル４０が存在する室内に居て、たとえ、Ｐａｉｒ−Ａ、Ｐａｉｒ−Ｂの双方のペアが確立されて安定している状態にあったとしても、双方のペアのＳＮＲの差分であるＳＮＲａｂの値は、一定の値に固定されているわけではなく、許容値としてあらかじめ定めた閾値の範囲内で、変動する。すなわち、モバイル機器２０を携帯するユーザが室内を歩き回ったり、あるいは、双方のペアのＳＮＲを測定する際にノイズが発生したり、測定誤差が生じたりする結果として、双方のペアのＳＮＲの差分であるＳＮＲａｂの値は、算出する都度、あらかじめ定めた前記閾値の範囲内で変動してしまう。なお、前述した図６のグラフには、モバイルルータ１０Ａ、モバイル機器２０のいずれもクレードル４０と同一の室内に存在する状態の時間帯を示す時刻Ｔｎに達するまでは、差分であるＳＮＲａｂの値は、一定の値に固定されているものとして表現していたが、実際には、前述のように、前記閾値の範囲内で‘０’近辺を変動した値となっている。
【００７４】
そこで、前記閾値の下限値としてα、前記閾値の上限値としてβをあらかじめ設定して、ＳＮＲ監視アプリケーション１１０は、算出した双方のペアのＳＮＲの差分であるＳＮＲａｂの値が、下限値αと上限値βとの許容範囲内に収まっているか否かを確認する（ステップＳ７０１）。すなわち、
α≦ＳＮＲａｂ≦β
の関係が成立しているか否かを確認する。
【００７５】
算出した双方のペアのＳＮＲの差分であるＳＮＲａｂの値が、下限値αと上限値βとの許容範囲内に収まっている場合には（ステップＳ７０１のＹｅｓ）、ユーザは、クレードル４０が存在する室内に居て、モバイルルータ１０Ａの携帯忘れ等の問題は発生していないものと判断して、ステップＳ７０１の動作を繰り返す。
【００７６】
これに対して、算出した双方のペアのＳＮＲの差分であるＳＮＲａｂの値が、下限値αと上限値βとの許容範囲内を超えた場合には（ステップＳ７０１のＮｏ）、Ｐａｉｒ−Ａ、Ｐａｉｒ−Ｂの双方のペアあるいはいずれか一方のペアのＳＮＲの値に変化が発生しているものと判断する。そして、モバイル機器２０を携帯するユーザがモバイルルータ１０Ａを室内に置いたまま室外に出て行ったか、モバイル機器２０を携帯するユーザがモバイルルータ１０Ａも携帯して室外に出て行ったか、あるいは、Ｐａｉｒ−Ａ、Ｐａｉｒ−Ｂの双方のペアあるいはいずれか一方のペアのＳＮＲの測定時に、ノイズの混入や信号の瞬断が発生していたか、を判別するために、ステップＳ７０２に移行する。ステップＳ７０２においては、ＳＮＲの瞬時値を用いる時の誤判定を防ぐために、時間的な変化も考慮して、算出した双方のペアのＳＮＲの差分であるＳＮＲａｂの値に関し、前回の監視周期におけＳＮＲａｂの値からの変化量すなわち傾きを意味するＳＮＲａｂ’をまず算出する。
【００７７】
測定時のノイズの混入や信号の瞬断の発生速度は、一般に、モバイル機器２０を携帯するユーザの移動速度に比し、圧倒的に速い。したがって、測定時のノイズの混入や信号の瞬断の発生の場合における双方のペアのＳＮＲの差分であるＳＮＲａｂの傾きを意味するＳＮＲａｂ’の絶対値の下限値をγとすると、モバイル機器２０を携帯するユーザが室外に移動した場合におけるＳＮＲａｂの傾きを意味するＳＮＲａｂ’の絶対値は、前記下限値γよりも小さい値に収まっている。これに対して、ＳＮＲ測定時にノイズの混入や信号の瞬断が発生した場合におけるＳＮＲａｂの傾きを意味するＳＮＲａｂ’の絶対値は、当然のことながら、前記下限値γ以上に大きい値になる。
【００７８】
したがって、ステップＳ７０２においては、ＳＮＲａｂの傾きを意味するＳＮＲａｂ’の絶対値が、前記下限値γ以上に大きくなっているか否かを確認する（ステップＳ７０２）。すなわち、
｜ＳＮＲａｂ’｜≧γ
の関係が成立しているか否かを確認する。
【００７９】
ＳＮＲａｂの傾きを意味するＳＮＲａｂ’の絶対値が、前記下限値γ以上に大きくなっている場合は（ステップＳ７０２のＹｅｓ）、前述したように、ＳＮＲ測定時にノイズの混入や信号の瞬断が発生した場合であるものと判断して、ステップＳ７０６に移行する。そして、ノイズの混入、信号の瞬断のいずれが発生しているか切り分ける処理を行う。ここで、信号の瞬断は、ユーザが携帯しているモバイル機器２０に備えられている無線通信機能ボタン（すなわち、無線通信機能を有効にするか否かをユーザが選択することが可能なボタン）をＯＦＦに切り替えて無線通信機能を無効にすることによって、発生する場合を想定する。
【００８０】
したがって、ステップＳ７０６において、Ｐａｉｒ−Ａ側のＳＮＲ＿Ａの値が信号の瞬断により‘０’になり、Ｐａｉｒ−Ｂ側のＳＮＲ＿Ｂの値が‘０’以外の値になっているか否かを確認する（ステップＳ７０６）。ＳＮＲ＿Ａの値が‘０’、ＳＮＲ＿Ｂの値が‘０’以外であった場合には（ステップＳ７０６のＹｅｓ）、モバイル機器２０の無線通信機能がＯＦＦにしたために信号の瞬断が発生しているものと判定する（ステップＳ７０７）。なお、かかる判定を行う場合において、誤判定をより確実に防止するために、次周期も含めて連続する複数回に亘って、ＳＮＲ＿Ａ、ＳＮＲ＿Ｂのうち同一のＳＮＲ＿Ａ、ＳＮＲ＿Ｂの値が‘０’まで低下していた場合に、初めて、該当するＰａｉｒ−Ａ、Ｐａｉｒ−Ｂに無線通信機能の無効化の操作等に伴う信号の途絶が発生しているものと判定するようにしても良い。
【００８１】
一方、ＳＮＲ＿Ａの値が‘０’以外であった場合は（ステップＳ７０６のＮｏ）、Ｐａｉｒ−Ａ側、Ｐａｉｒ−Ｂ側の双方のペアまたはいずれかのペアにノイズが混入して、ＳＮＲの値を正常に読み取れなかった場合か、あるいは、Ｐａｉｒ−Ｂ側に偶々瞬断が生じた場合である。かかる場合には、ノイズ混入による通信品質の劣化と判定して、モバイルルータ１０Ａのメイン制御部１００Ａは、ノイズ混入による通信品質劣化の状態が発生している旨の通知情報をアラーム情報として生成して、ユーザが携帯するモバイル機器２０に対して通知する（ステップＳ７０８）。なお、ステップＳ７０６の判定を行う場合、前述したように、誤判定をより確実に防止するために、次周期も含めて連続する複数回のいずれかにおいて、同一のＳＮＲ＿Ａ、ＳＮＲ＿Ｂについて、その値が‘０’まで低下していない場合があれば、該当するＰａｉｒ−Ａ、Ｐａｉｒ−Ｂにノイズの混入や測定誤差の混入による通信品質の劣化が発生している場合であると判定するようにしても良い。
【００８２】
また、ステップＳ７０２において、算出した双方のペアのＳＮＲの差分であるＳＮＲａｂの傾きを意味するＳＮＲａｂ’の絶対値が、前記下限値γよりも小さかった場合は（ステップＳ７０２のＮｏ）、モバイル機器２０を携帯するユーザが、クレードル４０が存在する室内から室外に移動した状態であると判定する。したがって、次に、室外に移動したユーザは、モバイル機器２０のみならずモバイルルータ１０Ａも携帯している状態にあるか否かを確認する。室外に移動したユーザがモバイルルータ１０Ａの携帯を忘れて、クレードル４０が存在する室内にモバイルルータ１０Ａが残っていた場合には、モバイルルータ１０Ａとクレードル４０との無線通信すなわちＰａｉｒ−Ｂの無線通信が可能な状態にあるので、Ｐａｉｒ−ＢのＳＮＲからＰａｉｒ−ＡのＳＮＲを減算した結果のＳＮＲａｂの値は、負の値にはならない。
【００８３】
これに対して、クレードル４０が存在する室内にモバイルルータ１０Ａが残っていなかった場合、すなわち、室外に移動したユーザが、モバイル機器２０のみならずモバイルルータ１０Ａも携帯していた場合には、モバイルルータ１０Ａとクレードル４０との無線通信すなわちＰａｉｒ−Ｂの無線通信が不可能な状態になるので、Ｐａｉｒ−ＢのＳＮＲからＰａｉｒ−ＡのＳＮＲを減算した結果のＳＮＲａｂの値は、負の値になる。
【００８４】
つまり、ステップＳ７０２において、モバイル機器２０を携帯するユーザが、クレードル４０が存在する室内から室外に移動した状態であると判定すると、次に、双方のペアのＳＮＲの差分であるＳＮＲａｂの値が負の値か否かを判定する（ステップＳ７０３）。ＳＮＲａｂの値が負の値であった場合には（ステップＳ７０３のＹｅｓ）、室外に移動したユーザは、モバイル機器２０のみならずモバイルルータ１０Ａも携帯している正常な状態であると判定する（ステップＳ７０４）。しかる後、監視解除タイミングとしてあらかじめ定めた一定時間が経過すると、モバイルルータ１０Ａのメイン制御部１００Ａ内に備えられている携帯忘れ機能がＯＦＦになり、モバイルルータの携帯忘れを監視する状態を解除する。
【００８５】
これに対して、ＳＮＲａｂの値が負の値でなかった場合は（ステップＳ７０３のＮｏ）、室外に移動したユーザは、モバイルルータ１０Ａの携帯を忘れて室内に残したまま、室外に移動してしまったというアラーム状態が発生したものと判定する。かかる場合には、モバイルルータ１０Ａのメイン制御部１００Ａは、携帯忘れ通知アプリケーション１１１を起動して、モバイルルータ１０Ａの携帯忘れが発生している旨の通知情報をアラーム情報として生成して、室外に移動したユーザが携帯しているモバイル機器２０に対して該通知情報を送信する（ステップＳ７０５）。なお、モバイル機器２０への通知ができなかった場合には、該通知情報をインターネットに送信して、例えば、当該ユーザが加入しているサービスサーバに該通知情報を登録するようにしても良い。
【００８６】
ここで、ステップＳ７０５における携帯忘れに関するアラーム情報、および、ステップＳ７０８における通信品質劣化に関するアラーム情報に関する通知情報を、モバイルルータ１０Ａからモバイル機器２０へ通知する場合、Ｂｌｕｅｔｏｏｔｈ  ＬＥモードを用いて通知するか、あるいは、ユーザが携帯するモバイル機器２０が、Ｂｌｕｅｔｏｏｔｈ  ＬＥモードの通信可能範囲に存在していない場合には、通信可能範囲がより広いＷｉ−Ｆｉ接続を用いて通知する。
【００８７】
また、ステップＳ７０３において、室外に移動したユーザが、モバイル機器２０のみならずモバイルルータ１０Ａも携帯している正常な状態であるか、あるいは、室内にモバイルルータ１０Ａを置いたままの携帯忘れの状態であるかを判定するために、双方のペアのＳＮＲの差分であるＳＮＲａｂの値が負の値になっているか否かを用いて判定しているが、本発明は、かかる場合に限るものではない。
【００８８】
例えば、モバイルルータ１０Ａとクレードル４０との無線通信を示すＰａｉｒ−Ｂ側のＳＮＲ＿Ｂの前周期からの変化量すなわちＳＮＲ＿Ｂの傾きとモバイルルータ１０Ａとモバイル機器２０との無線通信を示すＰａｉｒ−Ａ側のＳＮＲ＿Ａの前周期からの変化量すなわちＳＮＲ＿Ａの傾きとを用いて判定するようにしても良い。つまり、図６の時刻Ｔｎ以降に示すように、モバイル機器２０を携帯するユーザがモバイルルータ１０Ａを室内に置いたまま室外に移動した以降においては、Ｐａｉｒ−Ｂ側のモバイルルータ１０Ａとクレードル４０との間の距離は近接した一定の距離のままであるので、ＳＮＲ＿Ｂの前周期からの変化量すなわちＳＮＲ＿Ｂの傾きは‘０’近辺の値になる。
【００８９】
一方、図６の時刻Ｔｎ以降においては、Ｐａｉｒ−Ａ側のモバイルルータ１０Ａと該モバイルルータ１０Ａに帰属するモバイル機器２０との間の距離は次第に離れていくので、ＳＮＲ＿Ａの前周期からの変化量すなわちＳＮＲ＿Ａの傾きは負の値になっている。ただし、ＳＮＲ＿Ａの前周期からの変化量すなわちＳＮＲ＿Ａの傾きが負の値になった場合であっても、ＳＮＲ＿Ａの前周期からの変化量の絶対値があらかじめ定めた下限値を超えて大きく変化した場合には、前述したように、モバイルルータ１０Ａの携帯忘れの場合ではなく、ユーザがモバイル機器２０の無線通信機能ボタンのＯＦＦ設定操作等により、モバイルルータ１０Ａとの間の信号の瞬断が発生している場合と判定するようにしても良い。
【００９０】
また、モバイル機器２０を携帯するユーザがモバイルルータ１０Ａも携帯して室外に移動した場合においては、Ｐａｉｒ−Ｂ側のモバイルルータ１０Ａとクレードル４０との間の距離は次第に離れていくので、ＳＮＲ＿Ｂの前周期からの変化量すなわちＳＮＲ＿Ｂの傾きは負の値になる。一方、Ｐａｉｒ−Ａ側のモバイルルータ１０Ａと該モバイルルータ１０Ａに帰属するモバイル機器２０との間の距離はほぼ一定の範囲内に保たれるので、ＳＮＲ＿Ａの前周期からの変化量すなわちＳＮＲ＿Ａの傾きは‘０’近辺の値になっている。ただし、ＳＮＲ＿Ｂの前周期からの変化量すなわちＳＮＲ＿Ｂの傾きが負の値になった場合であっても、ＳＮＲ＿Ｂの前周期からの変化量の絶対値があらかじめ定めた下限値を超えて大きく変化した場合には、前述したように、クレードル４０の無線機能が停止し、モバイルルータ１０Ａとの間の信号の瞬断が発生している異常状態であるものと判定するようにしても良い。
【００９１】
（第１の実施形態の効果の説明） 
以上に詳細に説明したように、本第１の実施形態においては以下に記載するような効果を奏することができる。
【００９２】
第１に、モバイル機器２０を携帯するユーザが、クレードル４０が存在する室内から室外に移動する際に、モバイルルータ１０Ａを携帯しない事態（携帯忘れ）の発生を、誤って検出することなく、より正確に検出して、ユーザに通知することができる。而して、モバイルルータ１０Ａを携帯しない事態（携帯忘れ）の発生を確実に低減することでき、可搬性があるモバイルルータ１０Ａの利便性を損なうことを抑止することができる。
【００９３】
第２に、モバイルルータ１０Ａの携帯忘れが発生したか否かの判定をモバイルルータ１０Ａ内の処理のみで自動的に行うことができるので、モバイル機器２０、モバイルルータ１０Ａを管理するユーザに負担を掛けることがない。
【００９４】
第３に、モバイル機器２０を携帯するユーザが、モバイルルータ１０Ａを携帯しないまま、室外に移動した場合、ＳＮＲの監視周期の時間間隔を適切な値に設定することにより、モバイル機器２０がモバイルルータ１０Ａへの帰属から外れる前に（すなわち、モバイル機器２０のインターネット接続が切断される前に）、モバイルルータ１０Ａの携帯忘れの発生を検出することができるので、モバイルルータ１０Ａの携帯忘れに関する通知情報を、ユーザが携帯するモバイル機器２０に確実に通知することが可能である。
【００９５】
（第２の実施形態）
前述の第１の実施形態においては、室内において、モバイル機器２０が帰属するモバイルルータ１０Ａを接続する機器として、クレードル４０を用いる場合について説明したが、本発明は、かかる場合に限るものではなく、クレードル４０の代わりに、モバイルルータ１０Ａと接続することが可能な任意の通信モジュールを用いるようにしても差し支えない。例えば、クレードルに代わる通信モジュールとして、Ｗｉ−Ｆｉ通信モードやＢｌｕｅｔｏｏｔｈ通信モードによって無線通信を行うＷｉ−Ｆｉ／Ｂｌｕｅｔｏｏｔｈ無線通信モジュールを用い、第１の実施形態に記載したようなＰａｉｒ−Ａ、Ｐａｉｒ−Ｂの双方のペアを確立することができるようにすれば、Ｗｉ−Ｆｉ／Ｂｌｕｅｔｏｏｔｈ無線通信モジュールが存在する空間内から該空間の外への移動時に、第１の実施形態の場合と同様の手順を用いて、モバイルルータ１０Ａの携帯忘れの発生の有無を検出することができる。
【００９６】
（第３の実施形態）
前述の第１の実施形態においては、アラーム情報に関する通知情報を、モバイルルータ１０Ａからモバイル機器２０へ通知する場合に、Ｂｌｕｅｔｏｏｔｈ  ＬＥモードまたはＷｉ−Ｆｉ接続を用いて通知する場合について説明したが、本発明は、かかる場合に限るものではなく、例えば、インターネット上の管理サーバ（例えばＷｅｂ  Ｓｅｒｖｅｒ等）を介して通知するようにしても差し支えない。
【００９７】
Ｂｌｕｅｔｏｏｔｈ  ＬＥモードまたはＷｉ−Ｆｉ接続を用いて、前記通知情報をモバイル機器２０へ通知しようとする時点で、ノイズが多い等の理由で無線通信環境が極めて悪くなっていると、通知先のモバイル機器２０を携帯するユーザは移動している状況下にあるので、モバイルルータ１０Ａからモバイル機器２０への前記通知情報を送信する前に、モバイルルータ１０Ａとモバイル機器２０との間の接続が切れてしまい、通知できなくなるという状況が発生する可能性も想定される。そこで、かかる事態を解決するために、本第３の実施形態においては、インターネット上の管理サーバを介して通知するシステム構成例について説明する。
【００９８】
図８は、本発明の第３の実施形態によるモバイルルータ携帯忘れ検出システムにおいてモバイルルータ１０Ａからモバイル機器２０へ通知情報を通知する仕組みを説明するための概念図である。図８の概念図においては、ユーザが携帯するモバイル機器２０が、クレードル４０が存在する室内においてクレードル４０とＵＳＢ接続された状態にあるモバイルルータ１０Ａの帰属から外れた場合を想定している。すなわち、例えば、モバイル機器２０を携帯したユーザが、携帯忘れのためにモバイルルータ１０Ａをクレードル４０が存在する室内に残したまま、室内からノイズが多い室外へ移動してしまい、モバイル機器２０とモバイルルータ１０Ａとの間のＢｌｕｅｔｏｏｔｈ通信またはＷｉ−Ｆｉ通信が切断してしまった場合を想定している。
【００９９】
ここで、図８に示すように、インターネット上には、当該モバイルルータ携帯忘れ検出システムにおける各種の情報を管理するための管理サーバ５０が用意されている。管理サーバ５０は、例えば、モバイルルータ１０Ａからモバイル機器２０向けの通知情報を受け取った際に、宛先のモバイル機器２０向けに該通知情報を例えばメール形式やメッセージ形式で送信する機能も備えている。また、モバイルルータ１０Ａは、当然のことながら、基地局、公衆回線（図８には図示していない）を介してインターネットに接続する機能を備えている。一方、モバイル機器２０は、モバイルルータ１０Ａに帰属して、当該モバイルルータ１０Ａとの間で、Ｗｉ−Ｆｉ通信やＢｌｕｅｔｏｏｔｈ通信を行う無線通信機能の他に、管理サーバ５０からメール形式やメッセージ形式で送信されてくる前記通知情報を受信する機能も備えている場合を想定している。
【０１００】
図８において、例えば、モバイル機器２０を携帯するユーザが室外に移動した際に、当該ユーザがモバイルルータ１０Ａを室内に置いたままで携帯することを忘れていた場合、モバイルルータ１０Ａは、第１の実施形態の図７のフローチャートにおいて前述したように、かくのごときモバイルルータ１０Ａの携帯忘れを検出して、該携帯忘れに関する通知情報を作成して、モバイル機器２０に通知しようとする。
【０１０１】
しかし、該通知情報のモバイル機器２０への通知動作時に、図８に示すように、モバイルルータ１０Ａが、モバイル機器２０との間のＷｉ−Ｆｉ通信やＢｌｕｅｔｏｏｔｈ通信に関する無線接続状態が切断されていることを検出すると、モバイルルータ１０Ａは、図８の破線８０１に示す通知情報転送ルートを用いて、作成した前記通知情報を、インターネット上の管理サーバ５０に対して送信する。該通知情報を受け取った管理サーバ５０は、該通知情報を保存するとともに、図８の破線８０２に示す通知情報転送ルートを用いて、該通知情報に含まれている宛先のモバイル機器２０に対して、該通知情報を例えばメール形式やメッセージ形式で送信する。ここで、モバイル機器２０側が該通知情報を確実に受信することができるように、管理サーバ５０は、あらかじめ定めた周期で、あらかじめ定めた回数分、該通知情報を繰り返し送信するようにしても良い。
【０１０２】
したがって、たとえ、モバイル機器２０を携帯するユーザの室外への移動等に伴って、モバイルルータ１０Ａとモバイル機器２０との間の無線通信が不可能な状況に陥ったとしても、通知情報転送ルートとして図８の破線８０１，８０２に示すように、インターネット上の管理サーバ５０を経由させることにより、モバイル機器２０を携帯しているユーザに対して、該通知情報例えばモバイルルータ１０Ａの携帯忘れに関する通知情報を届けることができる。
【０１０３】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【０１０４】
１０      モバイルルータ
１０Ａ    モバイルルータ
２０      モバイル機器
３０      基地局
４０      クレードル
５０      管理サーバ
１００    メイン制御部
１００Ａ  メイン制御部
１０１    ＷＡＮ側通信モジュール
１０２    ＷＡＮ側アンテナ
１０３    ＬＡＮ側通信モジュール
１０４    ＬＡＮ側アンテナ
１０５    ＬＥ通信モジュール
１０６    ＬＥアンテナ
１０７    電源回路
１０８    バッテリ
１０９    メモリ
１１０    ＳＮＲ監視アプリケーション
１１０ａ  ＳＮＲ検出部
１１０ｂ  同一空間内存在判定部
１１０ｃ  異常状態判定部
１１０ｄ  信号途絶判定部
１１０ｅ  モバイルルータ携帯判定部
１１１    携帯忘れ通知アプリケーション
４００    メイン制御部
４０１    ＬＥ通信モジュール
４０２    ＬＥアンテナ
４０３    ＵＳＢ接続ポート
４０４    機能拡張ポート
４０５    電源回路
４０６    ＡＣ電源端子
４０７    メモリ
６００    一点鎖線（ＳＮＲ＿Ａ）
６０１    破線（ＳＮＲ＿Ｂ）
６０２    細い実線（ＳＮＲａｂ）
６０３    太線（ＳＮＲａｂ’）
８０１    破線（通知情報転送ルート）
８０２    破線（通知情報転送ルート）
【図１】
2018125598.tif 000003
【図２】
2018125598.tif 000004
【図３】
2018125598.tif 000005
【図４】
2018125598.tif 000006
【図５】
2018125598.tif 000007
【図６】
2018125598.tif 000008
【図７】
2018125598.tif 000009
【図８】
2018125598.tif 000010